(57)【要約】      （修正有）【課題】トイレなどを使用した後に、そのままスリッパを脱いで出てきても、スイッチを入れるだけで自動的にスリッパを逆向きに変換すると共に、履く時の転倒の危険を防止した履物方向転換装置を提供する。【解決手段】ベース板７の上に回転軸８を立設し、この上部にスリッパ３３を載せる回転プレート１４を水平に取付けて床板部１２で回転自在に支持すると共に、回転軸８を駆動するモータ１７を取付け、回転軸８に１８０度の間隔をおいて突起部２２Ａ、２２Ｂを突設すると共に、これと接離するリミットスイッチ２４を設ける。さらに、ベース板８の上にプランジャー型ソレノイド２７を取付けて、プランジャー２８の先端を、床板部１２の貫通孔２９を通して、回転プレート１４の底面に形成したロック溝３０に嵌入するように取付け、スタートスイッチを入れるとロック溝３０からプランジャー２８が抜けると同時にモータ１７が半回転する。【選択図】図３
0003172883.tif 000002
【実用新案登録請求の範囲】
【請求項１】
ベース板の上に回転軸を立設し、この上部に履物を載せる回転プレートを水平に取付け、この回転プレートを床板部で回転自在に支持し、前記回転軸を駆動するモータをベース板と床板部との間に取付けると共に、回転軸の周面に１８０度の間隔をおいて突起部を突設すると共に、これと接離するリミットスイッチを設け、ベース板の上にプランジャー型ソレノイドを取付けて、出没自在に設けたプランジャーの先端を、床板部の貫通孔を通して、回転プレートの底面に１８０度の間隔をおいて形成したロック溝または回転軸の周面に１８０度の間隔をおいて形成したロック溝に嵌入するように取付け、スタートスイッチを入れるとロック溝からプランジャーが抜けると同時に前記モータが半回転するようにしたことを特徴とする履物方向転換装置。
【請求項２】
モータとしてギアードモータを用い、この出力軸にプーリーを設けると共に、回転軸にプーリーを設け、両プーリーをベルトで連結したことを特徴とする請求項１記載の履物方向転換装置。  
【考案の詳細な説明】
【技術分野】
【０００１】
本考案は、トイレのスリッパなどの履物の方向を自動的に逆向きに変える方向転換装置に関するものである。
【背景技術】
【０００２】
家庭のトイレでは、通常トイレ用の専用のスリッパが使用され、トイレに入る時は、先端を便器側に向けてスリッパを履き、便器に座る時に逆向きになり、トイレから出る時に、そのままスリッパを脱いでくると、スリッパは逆向きになってしまう。このため次にトイレを使用する人のために、体の向きを捩じって逆向きになってスリッパを脱ぐか、手で持って方向を変える必要がある。
【０００３】
このためトイレを使用後、スリッパの向きを自動的に逆向きに変換する装置（特許文献１）が提案されている。この履物方向転換装置は、トイレの床板の下に中空状のベースを取付け、この内側にモータを上向きに取付け、その出力軸に履き物を載せる回転プレートを水平に取付けている。この回転プレートの外周には１８０度の間隔をおいて突起部が突設されていると共に、ベースの側面に前記突起部と接離するリミットスイッチを設け、スタートスイッチを押すと、モータにより回転プレートが回転し、この突起部が１８０度回転した所でリミットスイッチに接触して電源が遮断され、モータが停止してスリッパの向きを自動的に逆向きに変換するものである。
【０００４】
しかしながらこの従来の履物方向転換装置は、履物を載せる回転プレートがモータの出力軸に直結されているため、履物に片足を載せた時に回転プレートが回転して、転倒する危険があった。
【先行技術文献】
【特許文献】
【０００５】
【特許文献１】特開２００２ー１０８９９号公報
【考案の概要】
【考案が解決しようとする課題】
【０００６】
本考案は上記問題を改善し、トイレなどを使用後、そのままスリッパを脱いで出てきても、スタートスイッチを入れるだけで自動的にスリッパを逆向きに変換し、次に使用する人の便宜を図ると共に、スリッパを履く時の転倒の危険を防止した履物方向転換装置を提供するものである。
【課題を解決するための手段】
【０００７】
本考案の請求項１記載の履物方向転換装置は、ベース板の上に回転軸を立設し、この上部に履物を載せる回転プレートを水平に取付け、この回転プレートを床板部で回転自在に支持し、前記回転軸を駆動するモータをベース板と床板部との間に取付けると共に、回転軸の周面に１８０度の間隔をおいて突起部を突設すると共に、これと接離するリミットスイッチを設け、ベース板の上にプランジャー型ソレノイドを取付けて、出没自在に設けたプランジャーの先端を、床板部の貫通孔を通して、回転プレートの底面に１８０度の間隔をおいて形成したロック溝または回転軸の周面に１８０度の間隔をおいて形成したロック溝に嵌入するように取付け、スタートスイッチを入れるとロック溝からプランジャーが抜けると同時に前記モータが半回転するようにしたことを特徴とするものである。
【０００８】
本考案の請求項２記載の履物方向転換装置は、請求項１において、モータとしてギアードモータを用い、この出力軸にプーリーを設けると共に、回転軸にプーリーを設け、両プーリーをベルトで連結したことを特徴とするものである。
【考案の効果】
【０００９】
本考案に係る請求項１記載の履物方向転換装置によれば、スタートスイッチが入ると電源に接続されて、プランジャー型ソレノイドが短時間作動してプランジャーが収縮し、ロック溝から抜けてロックが解除されると同時に、モ−タに電源が供給されて回転し始め、１８０度回転すると回転軸に突設した突起部がリミットスイッチに接触して電源が遮断されて、回転を停止すると共に、プランジャーが伸出して回転してきたロック溝に嵌入して回転プレートの回転がロックされる。このためスリッパなどの履物を履く時に、履き易い方向に揃えられて、しかも履く時に、転倒の危険がなく安全にそのまま履くことができる。
【００１０】
また請求項２記載の履物方向転換装置によれば、モータとしてギアードモータを用いているので装置の小型化が図ると共に、両プーリーをベルトで連結したので安価に製造することができる。
【考案を実施するための最良の形態】
【００１１】
以下本考案の実施の一形態を図１ないし図４を参照して詳細に説明する。図１はトイレ１の内部構造で、ドア２の内側の便器３の手前に履物方向転換装置４が設置されている。この履物方向転換装置４の上面はトイレ１の床板５の高さと面一になっている。
【００１２】
前記履物方向転換装置４は図２および図３に拡大して示すように、ベース板７の上に回転軸８を立設し、その上下をベアリング軸受９、９で回転自在に支持されている。ベース板７の上には間隔をおいて支持板１１が立設され、この上に床板部１２が水平に取付けられている。この床板部１２は、中央部を円形にくり抜いた上床板部１２Ａと下床板部１２Ｂを張合せた構造になっている。上床板部１２Ａの円形にくり抜いた中央部には円板状の回転プレート１４が上床板部１２Ａの上面と面一となるように挿入され、下床板部１２Ｂにベアリング軸受９で支持された回転軸８の上端部が回転プレート１４に接続され、この底面に張り付けた滑り板１５を介して、下床板部１２Ｂの上面に回転自在に支持されている。
【００１３】
また前記下床板部１２Ｂの底面には、減速機構を備えたギアードモータ１７が取付けられ、この出力軸１８にプーリー２０Ａが設けられている。また前記回転軸８にもプーリー２０Ｂが取付けられ、このプーリー２０Ｂと前記プーリー２０Ａとが滑り止め突起が内側に形成されたベルト２１で連結されている。また回転軸８の下部側には、軸方向と直交して１８０度の間隔をおいて突起部２２Ａと突起部２２Ｂが突設している。この突起部２２Ａ、２２Ｂに近接してベース板７の上にリミットスイッチ２４が設けられ、この接触片２５に突起部２２Ａ、２２Ｂが接触するとギアードモータ１７の電源が遮断されるようになっている。
【００１４】
またベース板７の上にはプランジャー型ソレノイド２７が取付けられ、出没自在に取付けられたプランジャー２８の先端側は斜めに切欠され、ここが下床板部１２Ｂに開孔した貫通孔２９を貫通し、回転プレート１４の底面に形成したロック溝３０に嵌入するように取付けられている。この貫通孔２９とロック溝３０も回転軸回りに１８０度の間隔をおいて２個形成されている。
【００１５】
またギアードモータ１７とプランジャー型ソレノイド２７は、トイレ１の入口の壁３１に取付けた押しボタン式のスタートスイッチ３２に接続され、これは図示しない電源に接続されている、なお３３はトイレ用のスリッパである。
【００１６】
上記構成の履物方向転換装置は、通常の状態では図１に示すようにスリッパ３３は、その先端側が便器３側に向かって回転プレート１４の上に揃えて置いてある。この時、プランジャー型ソレノイド２７のプランジャー２８は、図４（Ａ）に示すようにその先端がロック溝３０に嵌入して、回転がロックされている。
【００１７】
トイレ１を使用する時は、ドア２を開けて、回転プレート１４の上に揃えてあるスリッパ３３を片足ずつ履くが、回転プレート１４がロックされて回転しないので転倒の危険がなく安全にそのまま履ける。スリッパ３３を履いて進み、向きを変えて便器３の便座に座る。トイレを使用後、回転プレート１４の上でスリッパ３３をそのまま脱いで、ドア２を開けてトイレ１から出て、壁３１に取付けた押しボタン式のスタートスイッチ３２のボタンを押す。
【００１８】
スタートスイッチ３２が入ると電源に接続されて、プランジャー型ソレノイド２７が短時間作動してプランジャー２８が収縮し、回転プレート１４に形成したロック溝３０から抜けてロックが解除されると同時に、ギアードモ−タ１７に電源が供給されて回転し始める。ギアードモ−タ１７が回転すると、プーリー２０Ａ、ベルト２１、プーリー２０Ｂを介して回転が伝達されて回転軸８が回転し、この先端に接続した回転プレート１４が回転する。回転プレート１４が回転を始めると、図４（Ｂ）に示すようにプランジャー型ソレノイド２７の電源が遮断されてプランジャー２８がスプリングの弾性力により上方に伸出するが、既に回転プレート１４が回転をしてロック溝３０が移動しているので、ロックが解除されたままの状態となっている。
【００１９】
この状態で回転プレート１４は回転を続けて１８０度回転すると、回転軸８に突設した突起部２２Ｂがリミットスイッチ２４の接触片２５に接触して電源が遮断されて、回転を停止すると共に、回転してきたロック溝３０がプランジャー２８の上方に位置するので、これが伸出してロック溝３０に嵌入し、回転プレート１４の回転がロックされる。
【００２０】
なお上記説明では、プランジャー型ソレノイド２７を縦方向に配置し、ロック溝３０を回転プレート１４の底面に形成した場合について示したが、プランジャー型ソレノイド２７を横方向に配置し、回転軸８の周面にロック溝３０を形成した構造でも良い。またギアードモータ１７の回転をプーリー２０Ａ、２０Ｂとベルト２１を介して回転軸８に伝達する場合について示したが、ギアを組み合わせて伝達する構造でも良い。また床板部１２と回転プレート１４の上面にカーペットを貼り付けても良い。またスタートスイッチ３２は押しボタンの代わりに、ドア２の開閉に応じて自動的にスイッチが入る構造でも良い。
【産業上の利用可能性】
【００２１】
また上記説明ではトイレのスリッパの方向転換に使用した場合について示したが、玄関に設置してここにスリッパや靴などの履物を載せて方向転換させても良い。
【図面の簡単な説明】
【００２２】
【図１】本考案の実施の一形態による履物方向転換装置を取付けたトイレの平面構造図である。
【図２】図１の履物方向転換装置を示す平面図である。
【図３】図２の履物方向転換装置を示す縦断面図である。
【図４】（Ａ）は回転プレートがロックされている状態を示す縦断面図、（Ｂ）は回転プレートのロックが解除されて回転している状態を示す縦断面図である。
【符号の説明】
【００２３】
１      トイレ                                              
２      ドア                                                
３      便器                                                
４      履物方向転換装置                                    
５      床板                                                
７      ベース板                                            
８      回転軸                                              
９      ベアリング軸受                                      
１１    支持板                                              
１２    床板部                                              
１２Ａ  上床板部                                            
１２Ｂ  下床板部                                            
１４    回転プレート                                        
１５    滑り板                                              
１７    ギアードモータ                                      
１８    出力軸                                              
２０Ａ  プーリー                                            
２０Ｂ  プーリー                                            
２１    ベルト                                              
２２Ａ  突起部                                              
２２Ｂ  突起部                                              
２４    リミットスイッチ                                    
２５    接触片                                              
２７    プランジャー型ソレノイド                            
２８    プランジャー                                        
２９    貫通孔                                              
３０    ロック溝                                            
３１    壁                        
３２    スタートスイッチ        
３３    スリッパ      
【図１】
0003172883.tif 000003
【図２】
0003172883.tif 000004
【図３】
0003172883.tif 000005
【図４】
0003172883.tif 000006